【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
関心対象物（２）が外部から入る非平行の光源ビーム（１）に相対して移動している間に、前記外部から入る非平行の光源ビームを使用することによって関心対象物（２）内の複数の二次発光体（３、４）を照射するための手段（１１）、
発射される放射を表わす場所信号を供給するために、複数の二次発光体（３、４）から発射される放射を受けるように連結された手段（１４、１５）、
複数の二次発光体（３、４）の各々に関して場所を判定するために、場所信号を受けるように連結された手段（３４）、
関心対象物（２）の３Ｄ復元（３５）を作り出すための手段、および
複数の二次発光体（３、４）の画像を作成するためにその場所を関心対象物（２）の算出された３Ｄ復元と組み合わせるための手段（３６）を含むエミッション・コンピューテッド・トモグラフィ・システム。
【請求項２】
関心対象物（２）が生物学的細胞を含む、請求項１に記載のエミッション・コンピューテッド・トモグラフィ・システム。
【請求項３】
複数の二次発光体（３、４）が複数の蛍光プローブ（３、４）を含む、請求項１に記載のエミッション・コンピューテッド・トモグラフィ・システム。
【請求項４】
外部から入る非平行の光源ビーム（１）が円錐形ビームを含む、請求項１に記載のエミッション・コンピューテッド・トモグラフィ・システム。
【請求項５】
場所信号を供給するための手段が、
二次蛍光フォトンだけを受けるようにフィルタ取り付けされた少なくとも１つの光増倍管（１４、１５）、および
場所判定手段と３Ｄ復元手段（３５）にトリガ信号を供給するように連結された検出器（１６）を含み、検出器（１６）が円錐形ビーム（１）の遠く離れた底面に位置し、円錐形ビーム（１）と検出器（１６）の間で関心対象物（２）の通過によって円錐形ビーム（１）が遮られるとトリガ信号が作り出される、請求項３に記載のエミッション・コンピューテッド・トモグラフィ・システム。
【請求項６】
複数の二次発光体（３、４）から発射される放射が複数の一時的痕跡（１２Ａ、１２Ｂ、１２Ｃ）を含み、場所を判定するための手段（３４）が、複数の二次発光体（３、４）の各々に関して場所を判定するように一時的信号を分析するための手段を含む、請求項１に記載のエミッション・コンピューテッド・トモグラフィ・システム。
【請求項７】
複数の一時的痕跡（１２Ａ、１２Ｂ、１２Ｃ）が、外部から入る非平行の光源ビーム（１）を通って複数の二次発光体（３、４）が移動する距離に比例した存続時間を表わす、請求項６に記載のエミッション・コンピューテッド・トモグラフィ・システム。
【請求項８】
関心対象物（２）のＺ軸に沿った速度ベクトル（ＶＺ）が分かっており、場所信号がＺ軸に沿ってマッピングされた複数の二次発光体（３、４）の位置を含み、それにより、複数の一時的痕跡（１２Ａ、１２Ｂ、１２Ｃ）のフーリエ変換が複数の二次発光体（３、４）の各々の各存続時間の表現を与え、したがって複数の二次発光体（３、４）の各々がＺ軸に沿って関心対象物（２）の中のその場所にマッピングされることを可能にする、請求項７に記載のエミッション・コンピューテッド・トモグラフィ・システム。
【請求項９】
場所信号が場所データを含み、検出された蛍光構造をさらに高解像度の吸収画像内にマッピングするように、組み合わせのための手段（３６）が場所データを関心対象物（２）の３Ｄ復元画像と重ね合わせるための手段を含む、請求項８に記載のエミッション・コンピューテッド・トモグラフィ・システム。
【請求項１０】
組み合わせのための手段（３６）が、蛍光信号のスポットを場所特定するために複数の一時的痕跡（１２Ａ、１２Ｂ、１２Ｃ）を投影から得られるトモグラフィ復元画像と組み合わせるための手段をさらに含む、請求項１に記載のエミッション・コンピューテッド・トモグラフィ・システム。
【請求項１１】
対象物の存在を示すトリガ信号（１７）を供給する発光収集およびトリガ用のシリンダ（２１）、
３Ｄ光トモグラフィ画像復元システム（２２）、
サンプル輸送装置（２６）、および
発光収集およびトリガ用のシリンダ（２１）、３Ｄ光トモグラフィ画像復元システム（２２）、およびサンプル輸送装置（２６）を制御し、かつそれらと通信するために連結されたコンピュータ（２３）を含み、関心対象物（２）を識別するように、トリガ信号（１７）が３Ｄ光トモグラフィ画像復元システム（２２）とコンピュータ（２３）を計時する光トモグラフィ・システム。
【請求項１２】
発光収集およびトリガ用のシリンダ（２１）が、発光収集のために動作する少なくとも２つの対向するフィルタ付き光増倍管（１４、１５）およびトリガ信号（１７）を供給するための少なくとも１つの検出器（１６）をさらに含む、請求項１１に記載の光トモグラフィ・システム。
【請求項１３】
一時的痕跡（１２Ａ、１２Ｂ、１２Ｃ）を使用するエミッション・コンピューテッド・トモグラフィのための方法であって、
染色、および標識蛍光分子プローブで細胞を調製する工程（３１）、
発光収集、トリガ用のシリンダ（２１）および画像復元用シリンダ（１９）を有する光トモグラフィ・システム（３２）内に細胞を導入する工程、
発光収集およびトリガ用のシリンダ（２１）を通して細胞を移動させ、発光収集およびトリガ用のシリンダ（２１）に入る細胞に応答して発光収集およびトリガ用のシリンダ（２１）がトリガ信号（１７）を作り出し、細胞が照明を受けて二次発光を作り出す工程、
二次発光を感知して一時的痕跡（１２Ａ、１２Ｂ、１２Ｃ）のセットを作り出す工程、
一時的痕跡（１２Ａ、１２Ｂ、１２Ｃ）のセットを分析するため、およびＸ，Ｙ座標の場所を含む３Ｄデータの第１のセットを検出された分子プローブ（３、４）の蛍光のＺ座標の関数として判定するためにトリガ信号（１７）を使用して計時処理を開始させる工程、
投影から細胞構造の３Ｄ復元（３５）を実行するため、および３Ｄデータの第２のセットを生じるように、Ｘ、ＹおよびＺの場所の吸収を判定するためにトリガ信号（１７）を使用してコンピュータ処理を作動させる工程、
関心対象細胞を判定するために３Ｄデータの第１のセットと３Ｄデータの第２のセットを組み合わせる工程（３６）、
復元用シリンダ（３７、１９）を通して細胞を移動させる工程、および
関心対象細胞を識別する工程（３８）を含む方法。
【請求項１４】
３Ｄデータのセットを組み合わせる工程（３６）が、検出された蛍光構造をさらに高解像度の細胞の吸収画像内にマッピングするために二次発光マッピング・システムから由来する一時的信号（１２Ａ、１２Ｂ、１２Ｃ）のセットを細胞の３Ｄ復元画像に重ね合わせる工程をさらに含む、請求項１３に記載の方法。
【請求項１５】
細胞内の複数の蛍光分子プローブ（３、４）を照射するための点光源（１１）を含み、そこでは細胞が点光源（１１）に相対して移動しており、複数の蛍光分子プローブ（３、４）が照明を受けると蛍光発光することで発射放射を供給し、
複数の蛍光分子プローブ（３、４）のうちの少なくとも１つに関して発射された放射に対応する一時的痕跡を提供するために、複数の蛍光分子プローブ（３、４）のうちの少なくとも１つから発射される放射を受けるように連結された光増倍管（１４、１５）のセットを含み、
複数の蛍光分子プローブ（３、４）のうちの少なくとも１つに関して場所を判定するために、一時的痕跡を受けるように連結された一時的信号分析器（２４）を含み、
細胞の３Ｄ復元（３５）を作成するための光トモグラフィ・システムを含み、
一時的信号分析器（２４）と光トモグラフィ・システムを同期させるためのトリガ信号（１７）を供給するように連結された検出器（１６）を含み、そこでは検出器（１６）が円錐形ビーム（１）の遠く離れた底面に位置し、円錐形ビーム（１）と検出器（１６）の間で関心対象物（２）の通過によって円錐形ビーム（１）が遮られるとトリガ信号（１７）が作り出され、
複数の二次発光体（３、４）の画像を作成するように、場所を関心対象物（２）の算出された３Ｄ復元（３５）と組み合わせるための３Ｄ座標計算モジュール（２５）を含むエミッション・コンピューテッド・トモグラフィ・システム。
【請求項１６】
点光源（１１）が照明のための円錐形ビーム（１）を作り出す、請求項１５に記載のエミッション・コンピューテッド・トモグラフィ・システム。
【請求項１７】
光増倍管（１４、１５）のセットが複数の対向する光増倍管（１４、１５）の対を含む、請求項１５に記載のエミッション・コンピューテッド・トモグラフィ・システム。
【請求項１８】
各々の対向する光増倍管（１４、１５）の対が、多様に前もって選択された放射波長を通過させる光学フィルタを通して放射を受ける、請求項１５に記載のエミッション・コンピューテッド・トモグラフィ・システム。
【請求項１９】
３Ｄ座標計算モジュール（２５）がコンピュータ・ソフトウェア・プログラムを含む、請求項１５に記載の光トモグラフィ・システム。
【請求項２０】
細胞が分かっている速度プロファイルを有し、強度ｖｓ時間の関係を発生するように一時的信号分析器（２４）がフーリエ解析を使用して一時的痕跡（１２Ａ、１２Ｂ、１２Ｃ）を解析する、請求項１５に記載の光トモグラフィ・システム。